(57)【特許請求の範囲】
【請求項１】
机の後部で天板より上位にバックパネルを立設し、あるいは机の背後に接近してロングパネルを立設するとともに、天板の側部上位にサイドパネルを立設したパネル付き机において、前記サイドパネルの後端部を前記バックパネル又はロングパネルの側端部に連結し、前記サイドパネルの前部を、互いに上下に連結して使用する第１支持金具と第２支持金具で支持し、前記第１支持金具は右側用と左側用で左右反転させて用いることが可能な形状で、且つ、前記天板の側面前部への取付位置を前記バックパネルとロングパネルの場合で前後に付け替え可能にネジ止めする構造であり、前記第２支持金具は右側用と左側用で同一な左右対称形で、且つ、上方へ延びた支持板を有する形状であり、前記サイドパネルの前側に位置する側枠の上下方向に形成した挿入孔に前記支持板を挿入して支持することを特徴とするサイドパネルの取付装置。
【請求項２】
前記第２支持金具の支持板の板面の法線を前後方向へ向け、該支持板の上下部に合成樹脂製のスライダーを装着し、前記サイドパネルの側枠の挿入孔に前記スライダーを密接状態でスライド係合させてなる請求項１記載のサイドパネルの取付装置。
【請求項３】
前記バックパネル又はロングパネルの側枠に上下方向の嵌合溝を形成するとともに、前記サイドパネルの側枠にも上下方向の嵌合溝を形成し、前記バックパネル又はロングパネルの側枠の嵌合溝とサイドパネルの後側の側枠の嵌合溝とに、断面Ｉ字形の連結部材の両側縁の膨出部を上方からスライド係合させて連結してなる請求項１又は２記載のサイドパネルの取付装置。
【請求項４】
前記第１支持金具は、横長の長方形状の垂直な取付板を有し、該取付板の中央とその両側に等間隔で３つの取付孔を形成し、該第１支持金具を前位置に取付ける場合には、中央の取付孔を用いて天板側部にネジ止めし、該第１支持金具を後位置に取付ける場合には、最前の取付孔を用いて天板側部にネジ止めすることで、右側用と左側用で共用するようになした請求項１〜３何れか１項に記載のサイドパネルの取付装置。
【発明の詳細な説明】
【技術分野】
【０００１】
本発明は、サイドパネルの取付装置に係わり、更に詳しくは机の天板側端の上位に設けるサイドパネルの取付装置に関するものである。
【背景技術】
【０００２】
特許文献１には、天板の後端部にバックパネルを設けるとともに、天板の側端部にサイドパネルを設けた机において、サイドパネルの前部においては、天板の側端に立設した支持金具にサイドパネルの前部下端に設けた嵌合溝に嵌挿し、サイドパネルの後部においては、バックパネルの側枠に形成した縦長の条溝と、サイドパネルの後端に位置する側枠に形成した縦長の条溝と、にそれぞれ長尺の連結部材の両側縁に形成した矢印状の膨出部を上下方向からスライド係合させて連結してなる机等のサイドパネルの支持構造が開示されている。更に、机等の天板側端面に取付けた側縁部材に、サイドパネル支持金具を取付ける取付凹所を設け、該取付凹所をキャップにて着脱自在に被覆してなり、該キャップはその上部に、周囲に形成した肉薄の切溝に沿ってその一部を切除して前記取付凹所に取付けるパネル支持金具を挿通する開口を形成し得るようになした点が開示されている。
【０００３】
前記サイドパネル支持金具は、左右反転しても使用可能な形状の板状部材であり、下端部を天板の側枠部材の角部上面に形成した貫通孔から挿入し、側枠部材の側面の開孔から挿入したネジを支持金具の下端の螺孔に螺合して取付けている。ネジ１本で支持金具を天板の側部に取付けることができ、左右で共用できるので、コスト的に有利で取付作業も簡
単であるが、支持金具を前後に位置を変えて付け替えることはできない。ここで、サイドパネルの取付位置を前後に変更する必要があるのは、机の後端上位に板厚の半分が重なった状態でバックパネルを設ける場合と、机の背後に接近させてロングパネルを設ける場合があるからである。
【０００４】
また、支持金具の板面が側方を向いているので、左右方向の支持強度が低く、また支持金具の上部をサイドパネルの下端に開口したスリット状の嵌合溝に直接挿入する構造であるので、嵌合溝の溝幅の寸法設定が難しい。嵌合溝の溝幅が狭いと支持金具の挿入作業が困難になり、逆に溝幅が広いと支持金具が簡単に抜けてしまうといった問題を有している。尚、前記サイドパネルの下端に設ける嵌合溝を、前後方向に十分に長く形成することにより、天板に対してサイドパネルの前後方向の位置を変えて支持することは可能であるが、嵌合溝が長いとサイドパネルの強度が弱くなるといった問題がある。更に、キャップは、支持金具を通すことができるように一部を切除して使用するが、サイドパネルを使用しなくなったときには、キャップに開口が開いたままとなり、そのため天板の上部に開口が露出して見苦しくなる。
【先行技術文献】
【特許文献】
【０００５】
【特許文献１】実用新案登録第２５７１８８５号公報
【発明の概要】
【発明が解決しようとする課題】
【０００６】
そこで、本発明が前述の状況に鑑み、解決しようとするところは、天板に対してサイドパネルの前部を支持金具で支持する構造において、左右で部品を共用することができるとともに、サイドパネルの支持強度が高く、また取付作業も簡単であり、前後の取付位置を変更することが可能なサイドパネルの取付装置を提供する点にある。
【課題を解決するための手段】
【０００７】
本発明は、前述の課題解決のために、机の後部で天板より上位にバックパネルを立設し、あるいは机の背後に接近してロングパネルを立設するとともに、天板の側部上位にサイドパネルを立設したパネル付き机において、前記サイドパネルの後端部を前記バックパネル又はロングパネルの側端部に連結し、前記サイドパネルの前部を、互いに上下に連結して使用する第１支持金具と第２支持金具で支持し、前記第１支持金具は右側用と左側用で左右反転させて用いることが可能な形状で、且つ、前記天板の側面前部への取付位置を前記バックパネルとロングパネルの場合で前後に付け替え可能にネジ止めする構造であり、前記第２支持金具は右側用と左側用で同一な左右対称形で、且つ、上方へ延びた支持板を有する形状であり、前記サイドパネルの前側に位置する側枠の上下方向に形成した挿入孔に前記支持板を挿入して支持することを特徴とするサイドパネルの取付装置を構成した(請求項１)。
【０００８】
また、前記第２支持金具の支持板の板面の法線が前後方向を向き、該支持板の上下部に合成樹脂製のスライダーを装着し、前記サイドパネルの側枠の挿入孔に前記スライダーを密接状態でスライド係合させてなることが好ましい（請求項２）。
【０００９】
また、前記バックパネル又はロングパネルの側枠に上下方向の嵌合溝を形成するとともに、前記サイドパネルの側枠にも上下方向の嵌合溝を形成し、前記バックパネル又はロングパネルの側枠の嵌合溝とサイドパネルの後側の側枠の嵌合溝とに、断面Ｉ字形の連結部材の両側縁の膨出部を上方からスライド係合させて連結してなることも好ましい（請求項３）。
【００１０】
そして、前記第１支持金具は、横長の長方形状の垂直な取付板を有し、該取付板の中央とその両側に等間隔で３つの取付孔を形成し、該第１支持金具を前位置に取付ける場合には、中央の取付孔を用いて天板側部にネジ止めし、該第１支持金具を後位置に取付ける場合には、最前の取付孔を用いて天板側部にネジ止めすることで、右側用と左側用で共用するようにすればより好ましい（請求項４）。
【発明の効果】
【００１１】
以上にしてなる請求項１に係る発明のサイドパネルの取付装置によれば、第１支持金具と第２支持金具と右側用と左側用で共用することができ、部品管理の手間が省け、また左右で付け間違いを防止でき、更に机の後部で天板より上位にバックパネルを立設した場合、あるいは机の背後に接近してロングパネルを立設した場合にもサイドパネルの前部を支持する取付位置を前後に付け替えて取付けることができるのである。
【００１２】
請求項２によれば、前記第２支持金具の支持板の板面の法線を前後方向へ向けたことにより、前記サイドパネルの横方向の加わる外力に対して強度が高くなる。また、支持板の上下部に合成樹脂製のスライダーを装着し、前記サイドパネルの側枠の挿入孔に前記スライダーを密接状態でスライド係合させてなるので、支持板に対するサイドパネルの挿入孔の挿入作業が容易になり、寸法誤差も吸収することができ、挿入後にはガタつきなくサイドパネルを支持することができる。
【００１３】
請求項３によれば、前記バックパネル又はロングパネルの側枠に上下方向の嵌合溝を形成するとともに、前記サイドパネルの側枠にも上下方向の嵌合溝を形成し、前記バックパネル又はロングパネルの側枠の嵌合溝とサイドパネルの後側の側枠の嵌合溝とに、断面Ｉ字形の連結部材の両側縁の膨出部を上方からスライド係合させて連結してなるので、サイドパネルの後部の支持構造が簡単になり、単に連結部材を嵌合溝に挿入するだけの簡単な作業で確実に後部を支持することができる。
【００１４】
請求項４によれば、前記第１支持金具は、横長の長方形状の垂直な取付板を有し、該取付板の中央とその両側に等間隔で３つの取付孔を形成し、該第１支持金具を前位置に取付ける場合には、中央の取付孔を用いて天板側部にネジ止めし、該第１支持金具を後位置に取付ける場合には、最前の取付孔を用いて天板側部にネジ止めすることで、右側用と左側用で共用できるので、取付位置を前後に付け替え可能としつつ、ネジ１本で第１支持金具を天板側部に取付けることができ、また左右で同一の取付構造を実現できるのである。
【図面の簡単な説明】
【００１５】
【図１】天板の上位にバックパネルとサイドパネルを設けた机の正面図である。
【図２】同じくバックパネルとサイドパネルを設けた机の側面図である。
【図３】背後にロングパネルを設け、天板の側端上位にサイドパネルを設けた机の側面図である。
【図４】天板の側端面に設けるサイドエッジの取付構造を示す分解斜視図である。
【図５】サイドエッジの構造を示す部分断面図である。
【図６】天板側端面に取付けたサイドエッジの部分拡大断面図である。
【図７】同じくサイドエッジの部分側面図である。
【図８】サイドパネルの前部の支持構造を示す分解斜視図である。
【図９】右用のサイドパネル支持金具を示し、（ａ）は右側面図、（ｂ）は正面図である。
【図１０】左用のサイドパネル支持金具を示し、（ａ）は左側面図、（ｂ）は正面図である。
【図１１】サイドパネルの後部とバックパネルとの連結構造を示す部分横断面図である。
【図１２】サイドパネルの後部とロングパネルとの連結構造を示す部分横断面図である。
【図１３】後部にバックパネルを連結した場合のサイドパネルの前部の支持構造を示す部分縦断面図である。
【図１４】サイドパネルの後部とバックパネルとの連結構造を示す部分縦断面図である。
【図１５】後部にロングパネルを連結した場合のサイドパネルの前部の支持構造を示す部分縦断面図である。
【図１６】サイドパネルの後部とロングパネルとの連結構造を示す部分縦断面図である。
【図１７】バックパネルの支持構造を示す部分分解斜視図である。
【図１８】バックパネルの左用支持金具を示し、（ａ）は正面図、（ｂ）は右側面図である。
【図１９】ロングパネルの袖キャビネットへの支持構造を示す部分分解斜視図である。
【図２０】ロングパネルの脚部材への支持構造を示す部分分解斜視図である。
【発明を実施するための形態】
【００１６】
次に、添付図面に示した実施形態に基づき、本発明を更に詳細に説明する。図１〜図３は本発明を適用した机を示し、図４〜図７はサイドパネルを取付ける天板の側端部の構造を示し、図８〜図２０は本発明の詳細を示し、図中符号１は机、２は脚部材、３は袖キャビネット、４は幕板、５は天板、６はサイドエッジ、７はバックパネル、８はロングパネル、９はサイドパネルをそれぞれ示している。
【００１７】
本発明に係る机１は、片袖タイプを示し、一側に脚部材２を配し、他側に袖キャビネット３を配し、脚部材２と袖キャビネット３の後端部側面間に幕板４を連結し、そして脚部材２と袖キャビネット３の上面に天板５を連結したものである。平机タイプでは、両側に脚部材２，２を配設し、両袖タイプでは両側に袖キャビネット３，３を配置する。前記天板５は、大部分が金属製であり、両側面に合成樹脂製のサイドエッジ６を装着している。更に、図１及び図２は、前記机１の後端部上位にはバックパネル７を設けるとともに、両側にサイドパネル９を設けたものである。前記サイドパネル９は天板５の一側に設けることもある。また、図３は、前記机１の背後に接近させてロングパネル８を設けたものである。前記天板５の後端は、前記脚部材２及び袖キャビネット３の後端よりも前方に位置し、前記脚部材２の上面後端部及び前記袖キャビネット３の上面の後外側角部が取付部分となっており、そして天板５の後端と前記幕板４の間には配線機構部１０が設けられている。
【００１８】
図４に示すように、金属製の天板５の一側面を構成する薄金属板製の側部材１１に沿って合成樹脂製の長尺サイドエッジ６を取付ける。サイドエッジ取付構造は、前記側部材１１に複数の係合孔１２，…を形成するとともに、側部材１１の上端に複数の横長スリット孔１３，…を形成する一方、前記サイドエッジ６の裏面に前記係合孔１２に挿入し且つ後方向に移動させることによって抜止め状態で遊嵌する係合爪１４，…を突設するとともに、前記スリット孔１３に密嵌する突片１５，…を突設し、前記係合爪１４をそれぞれ係合孔１２に抜止め係合するとともに、前記スリット孔１３に突片１５を密嵌して上下方向の位置決めを行った状態で取付ける。また、図６に示すように、前記突片１５の上下側面の少なくとも一方に、前記スリット孔１３の孔縁に圧接する圧接部１６を突設し、該突片１５が前記スリット孔１３に確実に密嵌するようになっている。
【００１９】
前記サイドエッジ６を天板５の側部材１１に確実に取付けるには、前記係合孔１２に係合爪１４が抜止め係合した状態を維持しなければならない。それには、前記係合孔１２に係合爪１４が抜止め係合した後、サイドエッジ６の前方移動を規制する必要があり、その目的のためには適宜な手段を採用し得るが、本実施形態ではネジ止め手段を採用した。前記サイドエッジ６の前後端部の外側には、サイドパネル９等の他のオプションを支持するための後述の支持金具をネジ止めする装着用凹部１７，１７を設け、該凹部１７には着脱自在にカバー１８が取付けられるようになっている。そして、前記係合爪１４，…を係合孔１２，…に抜止め係合し且つ前記突片１５，…をスリット孔１３，…に密嵌した状態で、前記凹部１７内で通孔１９を通してネジ２０を側部材１１に螺合する。ネジ止め後の前記凹部１７にはカバー１８を嵌着して凹部１７を隠蔽する。
【００２０】
前記カバー１８の外形は、前記凹部１７に装着した際に、サイドエッジ６の外面と連続するような形状であり、内部は空間部２１を設け、支持金具を収容できるようになっている。また、前記カバー１８の上下一側の中央部に支持金具を引き出す切欠部２２を形成している。そして、前記カバー１８の両端部の上下中央部に爪片２３，２３を上下対称に形成し、一方、前記サイドエッジ６の凹部１７の両端部に前記爪片２３，２３を係合する係合孔２４，２４を上下対称に形成している。従って、前記カバー１８は、前記サイドエッジ６の凹部１７に対して上下反転させて取付けることができるようになっている。
【００２１】
そして、図８〜図１０に基づいて、前記サイドパネル９の前部を支持金具で支持する構造を説明する。前記サイドパネル９の前部の支持には第１支持金具２５と第２支持金具２６とを用いる。第１支持金具２５は、横長の長方形状の垂直な取付板２７の上部で左右中央部に等脚台形状の首部２８を延設するとともに、該首部２８の上端に外側へ直角に連結板２９を折曲形成し、前記取付板２７の中央とその両側に等間隔で３つの取付孔３０，…を形成するとともに、前記連結板２９の両側部に２つの螺孔３１，３１を形成したものである。この第１支持金具２５は、側方から見て中央垂直線に対して左右対称形としている。また、前記第２支持金具２６は、帯板材の一端部を板面に対して直角に折曲し、下端の水平な連結板３２と上方に向いた垂直な支持板３３とを有する側面視Ｌ字形のものであり、前記連結板３２に前記螺孔３１，３１と同間隔で通孔３４，３４を形成するとともに、前記支持板３３の上下部の二箇所で横方向中央部に嵌合穴３５，３５を形成したものである。この第２支持金具２６は、正面から見て左右対称形である。
【００２２】
前記天板５の右側のサイドパネル９を支持する場合には、図８及び図９に示すように、正面視において前記第１支持金具２５の連結板２９を右方向に突出する向きに用い、該連結板２９の上面に前記第２支持金具２６の連結板３２を重ねて、連結ネジ３６，３６を上方から通孔３４，３４を通して螺孔３１，３１に螺合して右用支持金具として使用する。一方、前記天板５の左側のサイドパネル９を支持する場合には、図１０に示すように、正面視において前記第１支持金具２５の連結板２９を左方向に突出する向きに用い、前記同様に第１支持金具２５の連結板２９に第２支持金具２６の連結板３２を連結ネジ３６，３６で連結して左用支持金具として使用する。
【００２３】
また、前記第２支持金具２６の支持板３３には、前記嵌合穴３５，３５を利用して合成樹脂製のスライダー３７，３７を嵌着している。前記スライダー３７は、前記支持板３３を抱き込むように断面略コ字形の摺動部３８を有し、その摺動部３８の溝内の中央部に前記嵌合穴３５に抜止め嵌合する突起３９を突設した形状である。
【００２４】
図８に示すように、前記サイドエッジ６の凹部１７の両側部上下縁に、前記第１支持金具２５の取付板２７の上下縁を当止するリブ４０，４０を突設し、上側のリブ４０には前記第１支持金具２５の首部２８を引き出すための切欠部４１を形成している。また、前記側部材１１には、一つの螺孔４２を形成している。そして、前記凹部１７内で上下のリブ４０，４０の間に前記第１支持金具２５の取付板２７を嵌合するとともに、該取付板２７の前側二箇所の取付孔３０，３０のうち何れかを選択して固定ネジ４３を挿入し、前記凹部１７内に設けた開口４４を通して前記螺孔４２に螺合して該第１支持金具２５を天板５の前部に取付け、前記第２支持金具２６の支持板３３を垂設する。そして、前記カバー１８の切欠部２２を上方に向けた状態で、両前記爪片２３，２３を凹部１７内の係合孔２４，２４に係合して取付ける。この場合、前記取付板２７と前記リブ４０，４０は、前記カバー１８の空間部２１に収容され、第１支持金具２５の首部２８は切欠部２２を通して上方へ引き出される。前記第１支持金具２５の取付板２７は、上下縁を上下のリブ４０，４０で当止されるので、１本の固定ネジ４３で締付けても回転することがなく、確実に固定することができる。
【００２５】
一方、前記サイドパネル９は、図８〜図１４に示すように、それぞれアルミ押出し型材で作製した両側枠４５，４５の上下端間に上枠４６及び下枠４７をネジ止め連結し、その間にパネル体４８を保持した構造である。そして、前記側枠４５と上枠４６の端部には合成樹脂製の上部コーナーキャップ４９を嵌着し、前記側枠４５と下枠４７の端部には合成樹脂製の下部コーナーキャップ５０を嵌着している。前記側枠４５は、前記パネル体４８の内部に固定する固定部５１と外部に露出する断面外形が略四角形の枠部５２とからなり、該枠部５２の長辺側面、即ちサイドパネル９の側端面に対応する面の両側部と、二つの短辺側面の中央部にそれぞれ開口縁が狭く内部が広がった形状の嵌合溝５３，…を形成し、更に枠部５２の内部に挿入孔５４を形成している。また、前記下枠４７は、下方に開口溝５５を形成し、該開口溝５５を形成する両側壁板が下方になるにつれて直線状に狭まるように傾斜板５６，５６となっている。
【００２６】
そして、前記天板５の側端前部に垂設した第２支持金具２６の支持板３３に、前記サイドパネル９の前側の側枠４５に形成した挿入孔５４をスライド係合させる。この際に、前記スライダー３７，３７が挿入孔５４に密接しながら摺動するので、挿入作業が容易であるにも係わらず、ガタつきない支持状態となる。ここで、前記下部コーナーキャップ５０には、前記挿入孔５４に対応する部分は上下に貫通した開口５７となっている。また、図１３に示すように、前記第１支持金具２５の連結板２９と、第２支持金具２６の連結板３２は、前記下枠４７の開口溝５５の内部に位置している。前記第２支持金具２６の支持板３３の板面の法線が前後方向を向いているので、前記サイドパネル９の横方向の加わる外力に対して強度が高くなる。
【００２７】
また、前記ロングパネル８の構造は、前記サイドパネル９と大きさが異なる以外は該サイドパネル９と全く同じである。従って、前記サイドパネル９と同じ符号を用いることで、その説明を省略する。尚、前記ロングパネル８は、床面に設置するので、下端にアジャスター５８を、前記下部コーナーキャップ５０を利用して設けている。
【００２８】
そして、前記サイドパネル９の後端を前記バックパネル７の側端部に連結するには、合成樹脂製の帯状部材であり、両側縁部が膨出した断面Ｉ字形の連結部材５９を用いる。前記バックパネル７の横幅は、机１の横幅と一致し、板厚の半分が机１の上面後端部に重なった状態で天板５より上位に立設されている。前記サイドパネル９は、板厚の半分が天板５の上面側端部に重なった状態で天板５の上位に立設される。従って、図１１に示すように、前記バックパネル７の側枠４５の前側の嵌合溝５３と、前記サイドパネル９の後方の側枠４５の後端面の内側の嵌合溝５３とに、前記連結部材５９の膨出部６０，６０をそれぞれ上方から挿入して連結する。この場合、前記サイドパネル９の前端の位置は、図１３に示すように、天板５の前端近くまできており、前記第１支持金具２５の取付板２７を中心の取付孔３０を用いて固定ネジ４３で取付ける。このサイドパネル９の取付位置を「前位置」と称する。
【００２９】
一方、前記サイドパネル９の後端を前記ロングパネル８の側端部に連結するにも、前記連結部材５９を用いる。この場合も、前記ロングパネル８の横幅は、机１の横幅と一致し、机１の背後に接近して立設されている。前記サイドパネル９は、前記同様に板厚の半分が天板５の上面側端部に重なった状態で天板５の上位に立設されるが、該サイドパネル９の後端位置は、前記机１の後端に一致する。従って、前記バックパネル７、あるいはロングパネル８の板厚の半分だけ、前述の場合より後方位置にサイドパネル９が取付けられる。この場合も、図１２に示すように、前記ロングパネル８の側枠４５の前側の嵌合溝５３と、前記サイドパネル９の後方の側枠４５の後端面の内側の嵌合溝５３とに、前記連結部材５９の膨出部６０，６０をそれぞれ上方から挿入して連結する。この場合、前記サイドパネル９の前端の位置は、図１５に示すように、図１３の場合よりパネルの板厚の半分だけ後方にずれ、前記第１支持金具２５の取付板２７を最前の取付孔３０を用いて固定ネジ４３で取付ける。このサイドパネル９の取付位置を「後位置」と称する。
【００３０】
ここで、前記第１支持金具２５に上部の幅が狭まった首部２８を設けた理由は、前記カバー１８の切欠部２２の幅を可能な限り狭くし、前記サイドパネル９を後位置に取付けた場合でも、該サイドパネル９の前端から前記切欠部２２が露出しないようにするためである。
【００３１】
次に、前記バックパネル７の取付構造を、図１４、図１７及び図１８に基づいて簡単に説明する。前記脚部材２の上面後端部（図１４参照）及び前記袖キャビネット３の上面の後外側角部（図１７参照）が取付部分となり、この部分に第３支持金具６１をネジ止めして垂設する。第３支持金具６１は、下端に水平な取付板６２を有し、該取付板６２の側縁から側面視Ｌ字形の支持板６３が直角に上方へ延び、前記取付板６２には取付孔６４，６４を形成し、前記支持板６３の上下部には嵌合穴６５，６５を形成し、前記スライダー３７を前記同様に嵌着している。ここで、前記支持板６３の上部は、前記第２支持金具２６の支持板３３と同じ形状である。そして、前記第３支持金具６１の取付板６２を、取付孔６４，６４に通した固定ネジ６６，６６で脚部材２の上面及び袖キャビネット３の上面に螺着している。また、前記第３支持金具６１の取付板６２及び支持板６３の下部は、前記配線機構部１０の配線カバー６７を開閉可能に支持する端部支承具６８で隠蔽される。そして、前記バックパネル７の側枠４５の挿入孔５４に、前記支持板６３を挿入し、スライダー３７，３７を密接しながらスライド係合させるのである。前記バックパネル７は、両側端部を両第３支持金具６１，６１で立起状態に支持される。
【００３２】
最後に、前記ロングパネル８の取付構造を、図１６、図１９及び図２０に基づいて簡単に説明する。前記ロングパネル８は、机１の背後に接近させて前記脚部材２の後端部（図１６、図２０参照）及び前記袖キャビネット３の後端部（図１９参照）に取付ける。それには、下部受け金具６９と上部押え金具７０を用いる。前記下部受け金具６９は、前記脚部材２の背面下端部と、前記袖キャビネット３の背面の外側下端部に形成した横長の角孔７１に嵌合係止する係止片７２を形成するとともに、該係止片７２の下端に前記下枠４７の一方の傾斜板５６を係止する断面略コ字形の受部７３を形成したものであり、棚受具と同じ構造である。また、前記上部押え金具７０は、前記第３支持金具６１の取付板６２を取付ける場合と同じ場所に取付ける取付板７４と、該取付板７４の外側後端部から後方へ延びた上向き爪片７５を形成した形状であり、取付板７４には取付孔７６，７６を形成し、前記固定ネジ６６，６６で前記同様に螺着する。前記ロングパネル８の側枠４５の前面側の嵌合溝５３の内奥の区画壁で前記上向き爪片７５の高さに縦長の角孔７７を形成している。そして、前記下部受け金具６９の係止片７２を角孔７１に係止し、その受部７３で前記ロングパネル８の下枠４７の一方の傾斜板５６を受けた後、前記上部押え金具７０の取付板７４を持ち上げた状態で上向き爪片７５を前面側の嵌合溝５３から差し入れ角孔７７に挿入し、前記取付板７４を所定の取付位置まで押し上げて固定ネジ６６で取付ける。つまり、前記ロングパネル８は、下部受け金具６９と上部押え金具７０で挟まれた状態で支持される。また、この場合も上部押え金具７０の大部分は、前記端部支承具６８で隠蔽される。
【符号の説明】
【００３３】
１  机、                    ２  脚部材、
３  袖キャビネット、        ４  幕板、
５  天板、                  ６  サイドエッジ、
７  バックパネル、          ８  ロングパネル、
９  サイドパネル、          １０  配線機構部、
１１  側部材、              １２  係合孔、
１３  スリット孔、          １４  係合爪、
１５  突片、                １６  圧接部、
１７  凹部、                １８  カバー、
１９  通孔、                ２０  ネジ、
２１  空間部、              ２２  切欠部、
２３  爪片、                ２４  係合孔、
２５  第１支持金具、        ２６  第２支持金具、
２７  取付板、              ２８  首部、
２９  連結板、              ３０  取付孔、
３１  螺孔、                ３２  連結板、
３３  支持板、              ３４  通孔、
３５  嵌合穴、              ３６  連結ネジ、
３７  スライダー、          ３８  摺動部、
３９  突起、                ４０  リブ、
４１  切欠部、              ４２  螺孔、
４３  固定ネジ、            ４４  開口、
４５  側枠、                ４６  上枠、
４７  下枠、                ４８  パネル体、
４９  上部コーナーキャップ、５０  下部コーナーキャップ、
５１  固定部、              ５２  枠部、
５３  嵌合溝、              ５４  挿入孔、
５５  開口溝、              ５６  傾斜板、
５７  開口、                ５８  アジャスター、
５９  連結部材、            ６０  膨出部、
６１  第３支持金具、        ６２  取付板、
６３  支持板、              ６４  取付孔、
６５  嵌合穴、              ６６  固定ネジ、
６７  配線カバー、          ６８  端部支承具、
６９  下部受け金具、        ７０  上部押え金具、
７１  角孔、                ７２  係止片、
７３  受部、                ７４  取付板、
７５  爪片、                ７６  取付孔、
７７  角孔。
【図１】
0005540999.tif 000002
【図２】
0005540999.tif 000003
【図３】
0005540999.tif 000004
【図４】
0005540999.tif 000005
【図５】
0005540999.tif 000006
【図６】
0005540999.tif 000007
【図７】
0005540999.tif 000008
【図８】
0005540999.tif 000009
【図９】
0005540999.tif 000010
【図１０】
0005540999.tif 000011
【図１１】
0005540999.tif 000012
【図１２】
0005540999.tif 000013
【図１３】
0005540999.tif 000014
【図１４】
0005540999.tif 000015
【図１５】
0005540999.tif 000016
【図１６】
0005540999.tif 000017
【図１７】
0005540999.tif 000018
【図１８】
0005540999.tif 000019
【図１９】
0005540999.tif 000020
【図２０】
0005540999.tif 000021